(57)【特許請求の範囲】
【請求項１】
指定された目的地までの推奨する経路をリンクコスト及びノードコストを用いてその総和コストが最小となるダイクストラ法により計算する経路探索手段を備えるカーナビゲーションシステムであって、
各リンクにおける固有の燃料消費量を予測し、この予測した燃料消費量と車両固有の実用燃費とから当該リンク固有のエコ係数を算出するエコ係数算出手段と、
前記エコ係数算出手段により算出した前記各リンク固有のエコ係数の重み付け調整のために当該エコ係数を補正する補正係数を有し、特定走行区域を所定条件とし当該所定条件に前記リンクが該当する場合と該当しない場合とで前記補正係数を変更可能で、前記各リンク固有のエコ係数を前記所定条件に基づく補正係数で補正する手段と、
前記各リンクの前記リンクコストを、前記補正係数で補正したエコ係数で調整してエコ付きリンクコストを作成するエコ付きリンクコスト作成手段とを備え、
前記経路探索手段は、前記エコ付きリンクコストとノードコストを用いて目的地までの推奨する経路を前記ダイクストラ法により計算することを特徴とするカーナビゲーションシステム。
【請求項２】
前記エコ係数算出手段は、リンクにおける固有の燃料消費量をエンジン回転数、補機作動、道路勾配、タイヤ転がり抵抗、運転の仕方、風圧の少なくとも一つの要素から予測することを特徴とする請求項１に記載のカーナビゲーションシステム。
【請求項３】
前記エコ付きリンクコスト作成手段はリンクコストに、前記補正係数で補正したエコ係数を乗じてエコ付きリンクコストを作成することを特徴とする請求項１又は２に記載のカーナビゲーションシステム。
【請求項４】
前記エコ付きリンクコスト作成手段は、前記補正係数で補正したエコ係数にリンク長さを乗じて、エコ定数を算出し、このエコ定数をリンクコストに加算してエコ付きリンクコストを作成することを特徴とする請求項１又は２に記載のカーナビゲーションシステム。
【発明の詳細な説明】
【技術分野】
【０００１】
本発明は、指定された目的地までの推奨する経路を探索する経路探索手段を備えるカーナビゲーションシステムに関する。
【背景技術】
【０００２】
例えば自動車に搭載されるカーナビゲーションシステムは、自己の現在位置を検出し表示装置に道路地図に重ね合わせて表示するロケーション機能や、ユーザが指定した目的地までの推奨する経路を計算により探索し、案内する経路探索、案内機能を備えている。そのうち経路探索機能による経路の計算には、ダイクストラ法が一般に用いられている。この経路計算は、簡単にいうと、指定された優先条件などに応じて、出発地（現在地）から目的地に向けて、次に到達できる交差点（ノード）までの道路（リンク）のコストの計算（積算）を順次行なっていき、目的地までが最小コストとなる経路を選ぶ手法である。前記コストは、各リンクにおける、道路長さや道路種別、道路幅、有料無料の別、渋滞度などと、各ノードにおける信号機の有無や右左折などから、所定の重み付けがなされて計算されるようになっている。
【０００３】
ところで、以前より、ガソリンなどの燃料の消費を抑えると共に、ＣＯ２などの排ガスの低減を図ろうとするいわゆるエコ指向が強まってきており、従来のカーナビゲーション装置としても、最少燃料経路を探索する技術がある（例えば特許文献１）。
【先行技術文献】
【特許文献】
【０００４】
【特許文献１】特開２０００−２５５３号公報
【発明の概要】
【発明が解決しようとする課題】
【０００５】
しかし、上記従来のカーナビゲーション装置では、ある経路の燃料消費量を予測あるいは取得し、この燃料消費量のみをコストとして使用して上記ダイクストラ法で経路を探索するため、消費燃料は少なくなるものの、かえって走りにくい経路が探索されたり、又は走行時間や走行距離が予想以上に長くなったりすることがある。
【０００６】
本発明は上述の事情に鑑みてなされたものであり、その目的は、走行距離や走行時間、あるいは走りやすさなどの利便性を残しながら燃費向上にも寄与できるカーナビゲーションシステムを提供することにある。
【課題を解決するための手段】
【０００７】
請求項１のカーナビゲーションシステムによれば、エコ係数算出手段により、各リンクにおける固有の燃料消費量を予測し、この予測した燃料消費量と車両固有の実用燃費とから当該リンク固有のエコ係数を算出し、エコ付きリンクコスト作成手段により、前記各リンクの前記リンクコストを当該エコ係数で調整してエコ付きリンクコストを作成するから、各リンクのごとに当該リンクに応じた燃料消費量の重みづけをした固有のエコ付きリンクコストを得ることができ、そして、経路探索手段が、このエコ付きリンクコストを用いて目的地までの推奨する経路をダイクストラ法により計算するから、燃料消費低減のみを考慮した経路とならず、燃料消費量を加味しない従来からの走行時間や走行距離について利便性を考慮しつつ燃料消費も低減できる。
【０００８】
つまり、あるリンクのコストを、単純に燃料消費量のみで重み付けしていくと、従来のように、走行時間が過度に長くなったり、また走行距離が過度に長くなったりするが、走行時間や走行距離の最適化に適った従前のリンクコストをベースにして、このリンクコストを、当該リンクの燃料消費量予測値に相関するリンク固有の前記エコ係数により調整するから、従来からの走行時間や走行距離について利便性を考慮しつつ燃料消費も低減できるものとなる。
【０００９】
又、請求項１においては、エコ係数算出手段により算出した各リンク固有のエコ係数の重み付け調整のために当該エコ係数を補正する補正係数を有し、特定走行区域を所定条件とし当該所定条件に前記リンクが該当する場合と該当しない場合とで補正係数を変更可能で、各リンク固有のエコ係数を所定条件に基づく補正係数で補正する手段を備えている。
【００１０】
推奨経路に所定条件としての特定の道路種別や、特定走行区域が含まれるときに、当該特定走行区域でのエコ係数を変更することで、所定条件以外での走行時では、燃料消費量低減優先度を大であったものを、所定条件での走行時に燃料消費量低減優先度をやや低める（従来からの走行時間や走行距離について利便性を優先する）などの変更ができる。
【００１１】
又、請求項２においては、前記エコ係数算出手段は、リンクにおける固有の燃料消費量をエンジン回転数、補機作動、道路勾配、タイヤ転がり抵抗、運転の仕方、風圧の少なくとも一つの要素から予測するようにしている。これによれば、当該リンクに合致した燃料消費量を予測できる。
【００１２】
請求項３においては、前記エコ付きリンクコスト作成手段がリンクコストに前記補正係数で補正したエコ係数を乗じてエコ付きリンクコストを算出するようにしている。これによれば、エコ付きリンクコストの算出が極めて容易である。
又、このエコ付きリンクコストは、前記補正係数で補正したエコ係数にリンク長さを乗じて、エコ定数を算出し、このエコ定数をリンクコストに加算してエコ付きリンクコストを算出するようにしても良い（請求項４）。
【図面の簡単な説明】
【００１３】
【図１】本発明の一実施形態を示すもので、カーナビゲーションシステムの電気的構成を概略的に示すブロック図
【図２】サーバの制御部が実行する処理手順を示すフローチャートで、（ａ）メインルーチンを示し、（ｂ）、（ｃ）は夫々サブルーチンを示す
【図３】リンク及びノードを模式的に示す図
【図４】ノードにおける進入コスト及び退出コストを概念的に示す図
【図５】エコ付きリンクコストを用いた経路探索を説明するための図
【発明を実施するための形態】
【００１４】
以下、本発明を具体化した一実施形態について、図面を参照しながら説明する。尚，本実施形態は、車両の出発地から目的地までの推奨する経路を経路案内センタにおいて演算するようにした、いわゆるセンタ計算型のカーナビゲーションシステム１に本発明を適用したものである。
図１は、本実施形態に係るカーナビゲーションシステム１の構成を概略的に示している。このカーナビゲーションシステム１は、車両に搭載されるナビゲーション装置２と、サービスセンタ（経路案内センタ）に設けられるサーバ３とを備えて構成される。
【００１５】
前記ナビゲーション装置２は、コンピュータ（ＣＰＵ）を主体として構成され全体を制御する制御装置４を備えると共に、その制御装置４に接続された、外部との無線通信を行う通信装置５、自車位置を検出するための位置検出部６、例えばフルカラー液晶ディスプレイからなり表示手段として機能する表示装置７、タッチパネルやメカスイッチを含む操作スイッチ群８、音声出力装置９、地図データベース１０等を備えて構成されている。
【００１６】
前記位置検出部６は、ＧＰＳ用の人工衛星からの送信電波に基づいて自車両の位置を検出（測位）するＧＰＳ（Global Positioning System ）のためのＧＰＳ受信機１３、自車両の回転角速度を検出するジャイロセンサ１４、車速度センサ１５を含んでいる。前記制御装置４は、そのソフトウエア構成（及びハードウエア構成）により、前記位置検出部６を構成する各センサ１３〜１５からの入力に基づいて、自車両の現在位置（絶対位置）、進行方向、速度や走行距離、現在時刻等を高精度で検出する。
【００１７】
そして、その自車の現在位置、及び、前記地図データベース１０から得られる地図データに基づいて、前記表示装置７の画面に、自車周辺の道路地図と共に自車の現在位置（及び進行方向）を重ね合せて表示させるロケーション機能を実現する。この場合、一般に、ロケーション機能を実現するにあたっては、自車の位置を、表示される電子地図上の道路に乗せるために、自車の移動軌跡と道路地図データ中の道路形状とを比較照合して、現在走行中の道路を推測するマップマッチングが行われる。
【００１８】
前記地図データベース１０は、例えば日本全土の道路地図データや、それに付随する、各種施設や店舗等の施設データ等を記憶するものである。前記道路地図データは、地図上の道路を、交差点等をノードとして複数の部分に分割し、各ノード間の部分をリンクとして規定したリンクデータとして与えられる。このリンクデータは、リンク固有のリンクＩＤ（識別子）、リンク長、リンクの始点，終点（ノード）の位置データ（経度，緯度）、角度（方向）データ、道路幅、道路種別などのデータを含んで構成される。また、道路地図を表示装置の画面上に再生（描画）するためのデータも含まれている。
【００１９】
そして、このナビゲーション装置２（制御装置４）は、前記通信装置５により、例えば、図示しない無線基地局及びインターネット等の通信ネットワークを介して、サービスセンタのサーバ３との間で通信を行うようになっている。前記通信装置５としては、携帯電話機、ＤＳＲＣ、無線ＬＡＮなど様々なものを採用することができる。この場合、ユーザの操作スイッチ群８の操作に基づいて、サーバ３に対し、現在地（出発地）及び目的地のデータ並びに自車両（車体）ＩＤなどのデータを通信装置５により送信し、また、サービスセンタのサーバ３において演算された推奨経路を構成する経路案内データを通信装置５により取得（受信）する。
【００２０】
ナビゲーション装置２（制御装置４）は、サーバ３から取得した経路案内データに基づいて経路案内を実行する。周知のように、この経路案内は、表示装置７の画面に、道路地図に重ね合わせて走行すべき経路を表示すると共に、自車位置が所定のポイントに至ったときに、音声出力装置９により案内音声を出力することにより行われる。これにて、ユーザにより指定された目的地までの推奨する走行経路を探索する経路探索機能が実現されるようになっている。
【００２１】
一方、図１に示すように、前記サービスセンタのサーバ３は、コンピュータを主体として構成された制御部１６を備えると共に、その制御部１６に接続された、外部との間で無線通信を行う通信手段たる通信装置１７、経路探索に関連する各種情報を記憶する情報記憶部１８、地図データベース１９などを備えて構成されている。前記通信装置１７は、前記ナビゲーション装置２の通信装置５との間の通信を行なうようになっている。このとき、上記のように、通信装置１７は、通信装置５との通信により、現在地（出発地）及び目的地のデータを受信すると共に、探索された推奨する経路の経路案内データを送信するようになっている。
【００２２】
また、前記通信装置１７は、例えば種々のサーバ２０、ＶＩＣＳセンタ２１、他の車両等から送信される、道路交通情報（渋滞、事故、工事、車線規制、交通規制などの情報）、気象情報（天候、風向き、路面状況）等の経路探索に有用な最新のデータを受信し、それら各種データが情報記憶部１８に蓄積されるようになっている。前記地図データベース１９には、経路探索用の最新の道路地図データが記憶されている。この道路地図データは、上記と同様に、地図上の交差点などをノードとして道路を複数の部分に分割し、各ノード間の部位分をリンクとして規定したリンクデータとして与えられ、リンクデータは、リンクＩＤ、リンク長、リンクの始点、終点の位置データ、角度（方向）データ、道路幅、道路種別等のデータを含んで構成される。
【００２３】
前記制御部１６は、地図データベース１９の道路地図データ（リンク、ノードのデータ）を用いて、受信した出発地（現在地）から目的地までの推奨する経路を演算により求める（探索する）ようになっており、経路探索手段として機能する。この経路の演算には、例えば、周知のダイクストラ法が用いられ、出発地から目的地までのコストが最小となる走行経路が求められる。また、この経路探索の際には、上記情報記憶部１８に蓄積されている最新の道路交通情報などのデータが加味される。このとき、後述するように、本実施形態では、燃料消費量低減となる経路を探索することができるようになっている。推奨経路が求められると、経路案内データとしてナビゲーション装置２に送信される。
【００２４】
ここで、経路探索において一般的に用いられるダイクストラ法について簡単に述べる。経路探索は、出発地（現在地）から目的地へ向けて、次に到達できる交差点（ノード）までの道路（リンク）の探索及びそのコスト（評価値）の計算を順次行なっていき、目的地までが最小コストとなる経路（リンク列）を求めることにより行われる。前記リンクのコスト及びノードのコストは、道路長や道路種別、車線数、道路幅、急カーブ、起伏（勾配）、信号、一時停止や踏切の有無、更には、車線規制、渋滞度、路面状況（凍結、積雪）等から、所定の計算式にて算出され、例えば他の条件が同一の道路（リンク）の場合には、道路長にほぼ比例して大きな値となるようになっている。また、交差点（ノード）において右左折を行う場合には、直進の場合よりもコストが大きくなる。
【００２５】
さて、本実施形態では、地図データベース１９中の経路探索用の道路データ（リンクデータ、ノードデータ）には、所定の（基準となる）コストが予め付与されているのであるが、燃料消費量低減と走りやすさ（走行距離が短い、走行時間が短い、複雑でない道路などが走りやすさの目安となる）を両立させる経路を探索する観点から、後述より明らかとなるが、リンクコストの変更がなされるようになっている。
【００２６】
さて、前記制御部１６は、ナビ装置２から経路探索開始コマンドを受け取ると、図２に示す制御処理を実行する。この場合ナビ装置２は、ユーザが設定した目的地と自車位置のデータ、さらに自車のＩＤ番号も自動的にサーバ３の制御部１６に送信する。
【００２７】
この図２（ａ）において、制御部１６は、ステップＳ１で省燃費経路探索制御を実行する。この省燃費経路探索制御を図２（ｂ）にサブルーチンとして示している。ステップＴ１においては、まず、全ノード情報を初期化する。すなわち、全てのノード値を「０」且つ「未確定」状態とする。そしてステップＴ２でノード値が全て「確定」状態になったか否かを判断し、最初の時点では「未確定」状態であるので、「ＮＯ」に従ってステップＴ３に移行し、車両現在位置周囲のノード値未確定のノードの中から最小ノード値を選択し、これを現ノードとする。
【００２８】
そして、ステップＴ４で次のノードがあるか否かを判断し、次のノードがあればステップＴ５に移行して、コスト計算処理を行う。すなわち、現ノードから次ノードまでのリンクコスト及びノードコストを求める。このコスト計算処理の制御内容は、図２（ｃ）にサブルーチンとして示している。
【００２９】
図３は従来の経路探索道路リンク列Ｌ０を示しており、このリンク列Ｌ０のコストＣ（Ｌ０）は、ノードＮ１の退出コストＣｔ（Ｎ１）と、リンクＬ１のコストＣ（Ｌ１）と、ノードＮ２の進入コストＣｓ（Ｎ２）及び退出コストＣｔ（Ｎ２）（Ｃｓ（Ｎ２）＋Ｃｔ（Ｎ２）＝Ｃ（Ｎ２）とする）と、リンクＬ２のコストＣ（Ｌ２）、ノードＮ３の進入・退出コストＣ（Ｎ３）、リンクＬ３のコストＣ（Ｌ３）とノードＮ４の進入コストＣｓ（Ｎ４）とからなり、
Ｃ（Ｌ０）＝Ｃｔ（Ｎ１）＋Ｃ（Ｌ１）＋Ｃ（Ｎ２）＋Ｃ（Ｌ２）＋Ｃ（Ｎ３）＋Ｃ（Ｌ３）＋Ｃｓ（Ｎ４）              ・・・（１）
で示される。
【００３０】
さて、図２（ｃ）のステップＵ１においては、リンクの燃料消費量の予測値Ｑを計算する。これは、次のようにして行う。
まず、各リンクの燃料消費量の予測値は、エンジン回転数、車両補機（エアコンなど燃料消費につながる機器）、道路勾配、タイヤ転がり抵抗、運転の仕方、風圧の少なくとも一つの要素により予測する。上記エンジン回転数は道路種別と運転の仕方を考慮して設定され、高速道路は燃料消費量大、国道以下は小となる。又、加減速が多い運転の仕方をするドライバほど燃料消費量大となる。又、車両補機は車両情報から設定される。道路勾配は地図データから得られ、登り勾配が急であるほど燃料消費量大である。又、タイヤ転がり抵抗は、車両情報のタイヤ情報及び地図データからの路面情報により得られ、抵抗が大であるほど燃料消費量大である。又、風圧は車両情報と、予測した巡航速度から得られ、風圧が大であるほど燃料消費量大である。
【００３１】
上記各リンクにおいてノードに依存する燃料消費量は、ノード進入に依存する燃料消費量（これは当該ノードでの停止確率と停止時間、アイドリング時のエンジン回転数と車両排気量の要素で算出する）とノード退出に依存する燃料消費量（これは発進時の加速抵抗の要素で算出する）とで予測する。前記停止確率が高い場合、停止時間が長い場合、アイドリング回転数高（エアコンやライトをつけている）や車両排気量大である場合にはそれぞれ燃料消費量大となる。
【００３２】
上述の停止確率、停止時間は、交差点形態（地図データから取得できる）や、信号機の有無情報（地図データから取得できる）や、信号機動作形態、他車からのプローブ情報などから得ることができる。なお、これら停止確率、停止時間の取得方法は、この他種々ある。例えば信号機データは関係施設（警察など）から得ることもできるし、又、一旦停止や見通しが悪い交差点などの場所での停止確率や停止時間は現地調査や交通量調査結果から入手しても良い。又、ノードだけに限られず、リンクにおいて学校付近に横断歩道がある場合には登下校時において停止確率が増える。このリンクにおける停止確率もノードに入れ込んでも良い。
【００３３】
上述のリンクにおける燃料消費量と当該リンクにおいてノードに依存する燃料消費量の合計予測値Ｑは、リンク列Ｌ０（リンクＬ１、Ｌ２、Ｌ３、ノードｔＮ１（退出が考慮されたノード）、Ｎ２、Ｎ３、ｓＮ４（進入が考慮されたノード））においては、
ＱＬ０＝ＱＬ１+ＱＬ２+ＱＬ３+ＱｔＮ１+ＱＮ２+ＱＮ３+ＱｓＮ４  ・・・（２）
となる。
【００３４】
又、単一のリンクから成るリンク列を取り扱う場合において、その単一のリンクＬ（ｎ）における燃料消費量予測値Ｑｘは、
Ｑｘ＝ＱＬ（ｎ）+ＱｔＮ（ｎ）+ＱｓＮ（ｎ+１）      ・・・（３）
となる。
【００３５】
ステップＵ２では、上述のリンクにおける燃料消費量の上記予測値Ｑからエコ係数Ｅを算出する（エコ係数算出手段）。
Ｅ＝Ｑ／Ｑ０                      ・・・（４）
Ｑ０＝（Ｄ／Ｇ０）
Ｇ０：車両固有の実用燃費・・・カタログ燃費（10/15モード値）×ｋ
ｋ：適宜定められる係数
Ｄ：リンク長・・・地図データから取得。
【００３６】
上記Ｑは、リンク列Ｌ０の場合には前記式（２）となり、又、単一リンクの場合には、前記式（３）となる。
ここで前記Ｑには、前記式（２）、（３）から分かるように、各リンクごとの固有の道路状況（道路種別、道路勾配、路面情報、交差点形態、信号機の有無情報）が含まれているから、各リンク固有の燃料消費量予測値となり、且つ前記カタログ燃費は車両情報から取得できるから、前記エコ係数Ｅは車両固有の値であって且つ各リンクごとの固有の係数（燃料消費量の目安）となる。
【００３７】
次のステップＵ３では、エコ付きリンクコストＣ（Ｌｎ）´を算出（作成）する（エコ付リンクコスト作成手段）。この算出式を次式（５）で示す。
Ｃ（Ｌｎ）´＝Ｃ（Ｌｎ）×Ｅ              ・・・（５）
ここでＣ（Ｌｎ）は従来のリンクコストである。リンク列Ｌ０の場合のエコ付きリンクコストＣ（Ｌ０）´は、
Ｃ（Ｌ０）´＝ＣＬ（１）×Ｅ（Ｌ１）+ＣＬ（２）×Ｅ（Ｌ２）+ＣＬ（３）×Ｅ（Ｌ３）        ・・・（６）
となる。ここで、Ｅ（Ｌ１）、Ｅ（Ｌ２）、Ｅ（Ｌ３）は、各リンク固有のエコ係数であり、各リンクでの渋滞度が変わる場合があるので、各リンクで固有となる。
【００３８】
次のステップＵ４で当該リンクもしくはリンク列に付随するノードのコストを前述したように計算する。リンク列Ｌ０では、前記式（１）から分かるように、Ｃｔ（Ｎ１）＋Ｃ（Ｎ２）＋Ｃ（Ｎ３）＋Ｃｓ（Ｎ４）となり、単一のリンクでは、当該リンクでの退出コストＣｔ（Ｎｎ）＋進入コストＣｓ（Ｎｎ＋１）となる。
【００３９】
そして、ステップＴ６に戻って、今回のコスト計算により次ノード値が今までより少ない値であれば、次ノードを更新するとともに、次ノードに接続するリンクのコスト計算が全て終了した場合には次ノードのノード値を「未確定」から「確定」に変更する。
【００４０】
ステップＴ４でまだ次ノードがあれば（現ノードに接続するリンクで、コスト未計算のリンクがあれば）、前述のステップＴ５及びステップＴ６に移行する。つまり、目的地までの各ノード間のリンクコスト及びノードコストが計算されると、ステップＴ２→ステップＴ３→ステップＴ４→ステップＴ２のループを実行し、順次未確定のノードの中から最小ノード値のノードを選択して各エコ付きリンクコストＣ（Ｌｎ）´及びノードコストが最小の経路を確定してゆき、ノード値が全て確定したら経路探索を終了する（経路探索手段）。
【００４１】
このように本実施形態によれば、制御部１６におけるエコの係数算出手段により、各リンクにおける固有の燃料消費量Ｑを予測し、この予測した燃料消費量と車両固有の実用燃費とから当該リンク固有のエコ係数を算出し、そして、エコ付きリンクコスト作成手段により、各リンクのリンクコストを当該エコ係数Ｅで調整（乗算）して、エコ付きリンクコストＣ（Ｌｎ）´を作成するから、各リンクごとに、従来のリンクコストＣ（Ｌｎ）に当該リンクに応じた燃料消費量の重みづけをした固有のエコ付きリンクコストＣ（Ｌｎ）´を得ることができる。
【００４２】
そして、制御部１６における経路探索手段が、このエコ付きリンクコストＣ（Ｌｎ）´を用いて目的地までの推奨する経路をダイクストラ法により計算するから、燃料消費低減のみを考慮した経路とならず、燃料消費量を加味しない従来からの走行時間や走行距離について利便性を考慮しつつ、燃料消費も低減できる。
【００４３】
つまり、図５は、従来のリンクコストによる経路計算と、本実施形態による経路計算との違いを説明するための図であり、この図５では、便宜上、二つのルートＲａ、Ｒｂを例示しているが、実際には多数のルート候補がある場合もある。この図５に示すように、リンクＬ１、Ｌ２、Ｌ３の従来のコスト（便宜上ノードコストは省略する）をＣ（Ｌ１）＝３、Ｃ（Ｌ２）＝３、Ｃ（Ｌ３）＝１、Ｃ（Ｌ４）＝２、Ｃ（Ｌ５）＝２、Ｃ（Ｌ６）＝２とし、各リンクのエコ係数をＥ１、Ｅ２、Ｅ３、Ｅ４、Ｅ５、Ｅ６を、夫々、０．８、０．９、１．１、１．１、１．１５、１．１５とすると、従来のリンクコストを用いた場合においてはＲｂルートを設定するが、本実施形態では、エコ付きリンクコストＣ（Ｌｎ）´を用いるので、ルートＲａを設定することになる。
【００４４】
又、本実施形態においては、制御部１６におけるエコ係数算出手段が、リンクにおける固有の燃料消費量をエンジン回転数、補機作動、道路勾配、タイヤ転がり抵抗、運転の仕方、風圧から予測するようにしたから、当該リンクにおける道路状況や停止及び加速状況に合致した燃料消費量を予測できると共に、当該ノードに合致した燃料消費量を予測できる。なお、この燃料消費量はこれらエンジン回転数、補機作動、道路勾配、タイヤ転がり抵抗、運転の仕方、風圧の少なくとも一つの要素から予測するようにしても良い。
【００４５】
又、本実施形態によれば、リンクコストＣ（Ｌｎ）に前記エコ係数Ｅを乗じてエコ付きリンクコストＣ（Ｌｎ）´を算出するようにしている。これによれば、エコ付きリンクコストの算出が極めて容易である。
【００４６】
本発明は上記実施形態に限定されるものではなく、次のようにしても良い。
例えば、変更可能な補正係数αを備え、エコ係数をこの補正係数αにより補正可能としても良い。このようにすれば、従来のリンクコスト係数とエコ係数との重み付け調整をこの変更可能な補正係数により調整可能となる。
【００４７】
又、上記補正係数αは、所定条件で変更するようにしても良い。例えば、所定条件としては目的地付近で補正係数適用という条件として、当該目的地付近ではエコ付きリンクコストＣ（Ｌｎ）´を上記補正係数で補正しても良い。すなわち、
Ｃ（Ｌｎ）´＝Ｃ（Ｌｎ）×Ｅ×α
としても良い。
【００４８】
これによれば、目的地付近では、燃料消費量低減優先度を大であったものを、燃料消費量低減優先度をやや低める（従来からの走行時間や走行距離について利便性を優先する）などの変更ができる。なお上記所定条件は適宜変更することができる。
【００４９】
又、エコ付きリンクコストＣ（Ｌｎ）´は
Ｃ（Ｌｎ）´＝Ｃ（Ｌｎ）＋Ｅｔ
Ｅｔ＝Ｅ×Ｌ
としても良い。Ｅｔはエコ定数、Ｌはリンク長を示す。
【００５０】
すなわち、エコ付きリンクコストＣ（Ｌｎ）´を、前記エコ係数Ｅにリンク長さＬを乗じて、エコ定数Ｅｔを算出し、このエコ定数ＥｔをリンクコストＣ（Ｌｎ）に加算してエコ付きリンクコストＣ（Ｌｎ）´を算出するようにしても良い。
【符号の説明】
【００５１】
図面中、１はカーナビゲーションシステム、２はナビゲーション装置、３はサーバ、４は制御装置、５は通信装置、６は位置検出部、７は表示装置（表示手段）、１６は制御部（経路探索手段、エコ係数算出手段、エコ付きリンクコスト作成手段）、１７は通信装置，１９は地図データベースを示す。
【図１】
0005549353.tif 000002
【図２】
0005549353.tif 000003
【図３】
0005549353.tif 000004
【図４】
0005549353.tif 000005
【図５】
0005549353.tif 000006